(57)【特許請求の範囲】
【請求項１】
板状をなす板金本体に複数のリード端子を形成し、
各々の前記リード端子は、前記板金本体より延設する脚部，および前記脚部の先端に設けられ、基板の端子受け部に半田付け接続が可能な接続部を備えた端子付き板金において、
前記リード端子の接続部どうしを連結し、前記基板の端子受け部に半田付け接続が可能な連結部を備えたことを特徴とする端子付き板金。
【請求項２】
端子受け部を備えた基板と、
板状をなす板金本体に複数のリード端子を形成し、各々の前記リード端子は、前記板金本体より延設する脚部，および前記脚部の先端に設けられ、前記基板の端子受け部に半田付け接続が可能なる接続部とを備えた端子付き板金と、からなる基板と端子付き板金との接続構造において、
前記リード端子の接続部どうしを連結し、前記基板の端子受け部に半田付け接続が可能な連結部を備えたことを特徴とする基板と端子付き板金との接続構造。
【発明の詳細な説明】
【技術分野】
【０００１】
本発明は、基板の端子受け部に半田付け実装される端子付き板金、および基板と端子付き板金との接続構造に関する。
【背景技術】
【０００２】
従来、放熱を目的とした熱容量の大きな板金や、大電流を流すための板金や、電子部品を支持するための板金を、プリント配線基板などの各種基板に直接半田付けする技術が知られている。例えば特許文献１では、プリント配線基板に固定される電子部品に取付け可能な端子付き板金としての固定部材が設けられ、当該固定部材は、電子部品の取付部に相当する本体と、この本体からアーム状に延びるリード端子としての雄コネクタ部とにより構成される。そして、雄コネクタ部の先端をプリント配線基板の表側から端子受け部である開口に挿入し、プリント配線基板の裏側から半田付けを行なうことで、固定部材ひいては電子部品とプリント配線基板との固定が図られる。
【０００３】
図４は、従来から知られている基板と端子付き板金との接続構造を示しており、また図５は、図４における要部の拡大図である。これらの各図において、１は放熱を目的として熱伝導性の高い金属材料で形成される平板状の板金、２は板金１と熱的および機構的に接続する電子部品である。電子部品２は周知のように、例えば電源装置のスイッチング素子（トランジスタ，ＭＯＳ型ＦＥＴ，ＩＧＢＴなど）や整流用ダイオードなどの、電力供給路に接続する半導体素子が、これに相当する。また３は、板金１や電子部品２を起立状態で実装する基板としての配線基板である。この配線基板３は、基材である絶縁層４の片面または両面に銅箔などの導電パターン（図示せず）が形成され、導電パターンの適所に貫通穴（図示せず）が設けられると共に、貫通穴の内面には、近傍の導電パターンと電気的に接続するメッキスルーホール５が形成される。
【０００４】
前記板金１は、電子部品２の取付部と放熱部とを兼用する板金本体１１と、この板金本体１１の一側からアーム状に延びる複数のリード端子１２とを一体的に形成して構成される。複数の電子部品２に跨って幅広に形成される板金本体１１には、各電子部品２の取付け位置に対応して挿通孔１３が形成され、この挿通孔１３を通して止着部材であるねじ１４により、当該板金本体１１と各電子部品２とを密着固定させるようになっている。
【０００５】
各々のリード端子１２は、板金本体１１より延設する脚部１５と、脚部１３の先端に設けられる接続部１６とにより構成されるが、接続部１６は、前記配線基板３の端子受け部に相当するメッキスルーホール５に挿入し、その後で半田１７による接続が可能な形状に形成される。なお、配線基板３には、板金１の各リード端子１２のみならず、電子部品２の図示しないリード端子に対応した別な形状のスルーホール６も設けられる。
【０００６】
そして、板金１の各リード端子１２と各電子部品２のリード端子とを、配線基板３の一側面である部品面から対応する位置に設けられたメッキスルーホール５，６にそれぞれ挿通し、配線基板３の他側面である半田面を半田液面に浸漬させるディップ半田付けを行なう。これにより、板金１の各リード端子１２とメッキスルーホール５との間、および各電子部品２のリード端子とメッキスルーホール６との間に半田１７が充填付着し、板金１と配線基板３，および電子部品２と配線基板３との接続固定が図られるようになっている。
【特許文献１】特開２００７−２００９１６号公報
【発明の開示】
【発明が解決しようとする課題】
【０００７】
上記図４や図５に示す半田付け接続構造において、板金１のリード端子１２に着目すると、このリード端子１２はいわゆるストレート形状であって、脚部１５と接続部１６が同じ断面形状を有している。そのため、リード端子１２の先端から受けた半田１７の熱が、脚部１５から板金本体１１に速やかに伝わって拡散してしまうので、半田付け作業時において半田１７のなじみ（付着性）や、毛細管現象による配線基板３の部品面への半田上がりが悪くなり、板金１のリード端子１２を配線基板３に確実に半田付け接続することが困難であった。
【０００８】
そこで本発明は、こうした問題に鑑み、簡単な設計変更によって、端子付き板金のリード端子を基板に対し確実に半田付け接続することが可能な端子付き板金、および基板と端子付き板金との接続構造を提供することをその目的とする。
【課題を解決するための手段】
【０００９】
本発明における端子付き板金は、上記目的を達成するために、板状をなす板金本体に複数のリード端子を形成し、各々の前記リード端子は、前記板金本体より延設する脚部，および前記脚部の先端に設けられ、基板の端子受け部に半田付け接続が可能な接続部を備えた端子付き板金において、前記リード端子の接続部どうしを連結し、前記基板の端子受け部に半田付け接続が可能な連結部を備えている。
【００１０】
また、本発明における基板と端子付き板金との接続構造は、上記目的を達成するために、端子受け部を備えた基板と、板状をなす板金本体に複数のリード端子を形成し、各々の前記リード端子は、前記板金本体より延設する脚部，および前記脚部の先端に設けられ、前記基板の端子受け部に半田付け接続が可能なる接続部とを備えた端子付き板金と、からなる基板と端子付き板金との接続構造において、前記リード端子の接続部どうしを連結し、前記基板の端子受け部に半田付け接続が可能な連結部を備えている。
【発明の効果】
【００１１】
請求項１および請求項２の発明によれば、ストレート状に延びた複数のリード端子の先端部分において、基板の端子受け部に半田付け接続される各接続部間を連結部で連結し、この連結部も基板の端子受け部に半田付け接続されるように形成することで、半田付け作業時において、リード端子は半田に接して熱を吸収する面積が増加し、より多くの熱量を半田から受けることができる。その結果、リード端子の形状を設計変更するだけで、接続部や連結部における半田がなじみやすく、また接続部や連結部からの半田上がりが良好になって、端子付き板金のリード端子を基板に対し確実に半田付け接続することが可能になる。
【発明を実施するための最良の形態】
【００１２】
以下、本発明における端子付き板金、および基板と端子付き板金との接続構造の好ましい一実施形態について、添付図面である図１〜図３を参照しながら詳細に説明する。なお、従来例で示した図４や図５と共通部分は共通符号を付し、共通する箇所の説明は重複を避けるため極力省略する。
【００１３】
図１は、リード端子１２付き板金１単体の構成をあらわしており、この板金１はどの部位においても共通の板厚を有している。また、板金本体１からアーム状に延びる各リード端子１２は、従来例と同じくストレート形状を有している。当該板金１として従来例と異なる点は、隣り合うリード端子１２の接続部１６どうしを連結するために、この接続部１６間に連結部１９を設けていることにある。当該連結部１９は板金１と一体に形成され、脚部１５や接続部１６と同じ板厚を有しているが、異なる板厚に形成してもよい。それ以外の板金１の構成は、従来例で示したものと共通している。
【００１４】
板金１の変形例として、各電子部品２の取付けおよび放熱以外の目的で板金本体１１を形成してもよい。例えば板金１そのものが大電流を流すバスバーとして機能する場合、板金１に流れる電流容量を満たす形状に板金本体１１が形成される。したがって、この場合は電子部品２の取付け用ではなく、他の板金１との導通を図るために、挿通孔１３が設けられる。勿論、導電性および放熱性に優れた部材で板金１を形成することで、大電流を流すバスバーとしての機能と、電子部品２を放熱する放熱器としての機能を、板金本体１１に兼用させてもよい。
【００１５】
それ以外に、ここで使用するリード端子１２付き板金１は、大電流が流れるトランス（図示せず）の二次巻線にも利用できる。この場合の板金本体１１は、筒状をなすトランスの磁芯（図示せず）を囲むように形成され、当該板金本体１１の両端に形成した複数のリード端子１２の接続部１６どうしを、連結部１９で連結する構造になっている。
【００１６】
また、図１に示す板金１は全体が横方向に拡がる平板状に形成されているが、例えば板金本体１１の適所に縦方向の折曲げ部を設け、板金１全体をＬ字状やコ字状などの各種形状に形成してもよい。こうすることで、限られた配線基板３上のスペースに、板金１を効率良く実装できる。
【００１７】
一方、従来の接続部１６のみならず、当該接続部１６間に連結部１９を設けたことに伴い、配線基板３には、従来のメッキスルーホール５とは形状の異なるメッキスルーホール３５が、接続部１６および連結部１９に対応した位置に設けられる。このメッキスルーホール３５は、従来例と同じく配線基板３に形成された導電パターンと電気的に接続するが、前記リード端子１２の先端部分である接続部１６と、この接続部から横方向に延びる連結部１９が何れも挿通し、その後で当該接続部１６および連結部１９とメッキスルーホール３５の内面との間に半田１７が付着し得る形状に形成される。その他の構成は、従来の配線基板３と共通している。
【００１８】
他の変形例として、配線基板３の端子受け部に相当するメッキスルーホール３５は、例えば表面実装用の導電パッドであっても構わない。また、単独の配線基板３にではなく、複数の配線基板３に板金１が接続される構成であってもよい。
【００１９】
次に、上記構成についてその作用を説明する。電子部品２を板金１に固定した状態で、板金１の各リード端子１２の接続部１６およびそれに連結する連結部１９と、各電子部品２のリード端子とを、配線基板３の部品面から対応する位置に設けられたメッキスルーホール３５，６にそれぞれ挿通し、配線基板３の半田面を半田液面に浸漬させるディップ半田付けを行なう。ここで、電子部品２と板金１との固定は、板金１の挿通孔１３と電子部品２の挿通孔（図示せず）に共通のねじ１４を挿通し、電子部品２の挿通孔から突出するねじ１４のねじ部にナット（図示せず）を螺合することで実現するが、例えばねじ１４とナットに代わり、別な止着部材にて電子部品２と板金１とを固定する構造であっても構わない。また、半田付けの方法としては、上述のディップ方式に代わり、例えば融けた半田の噴流上に配線基板３を搬送して半田付けするフロー方式を採用してもよい。
【００２０】
上記半田付け作業により、板金１の各リード端子１２における接続部１６および連結部１９とメッキスルーホール３５との間、および各電子部品２のリード端子とメッキスルーホール６との間に半田１７が充填付着し、板金１と配線基板３，および電子部品２と配線基板３との接続固定が図られる。特に各リード端子１２においては、その先端部分に形成した接続部１６のみならず、当該接続部１６に連結する連結部１９にも半田１７が接触して、半田１７との接触面積が従来よりも増加し、接続部１６および連結部１９から多くの熱を受けることが可能になる。そのため、接続部１６や連結部１９において半田１７がなじみやすくなり、また接続部１６からの半田上がりが良好になって、接続部１６および連結部１９とメッキスルーホール３５とを強固に固定できる。そしてこれは、従来のストレート形状の各リード端子１２において、当該リード端子１２の先端部分にある接続部１６どうしを、連結部１９で一体的に連結するだけの簡単な設計変更で実現できる。
【００２１】
以上のように、本実施例における端子付き板金１は、板状をなす板金本体１１に複数のリード端子１２を形成し、各々のリード端子１２は、板金本体１１より延設する脚部１５と、当該脚部１５の先端に設けられ、基板たる配線基板３の端子受け部であるメッキスルーホール３５に半田付け接続が可能な接続部１６を備えたものにおいて、隣り合うリード端子１２の接続部１６どうしを連結し、接続部１６と共に配線基板３のメッキスルーホール３５に半田付け接続が可能な連結部１９を備えている。
【００２２】
また本実施例では、メッキスルーホール３５を備えた配線基板３と、板状をなす板金本体１１に複数のリード端子１２を形成し、各々のリード端子１２は、板金本体１１より延設する脚部１５と、当該脚部１５の先端に設けられ、配線基板３の端子受け部であるメッキスルーホール３５に半田付け接続が可能な接続部１６を備えた端子付き板金１と、からなる配線基板３と端子付き板金１との接続構造おいて、隣り合うリード端子１２の接続部１６どうしを連結し、接続部１６と共に配線基板３のメッキスルーホール３５に半田付け接続が可能な連結部１９を備えている。
【００２３】
このようにすると、ストレート状に延びた複数のリード端子１２の先端部分において、配線基板３のメッキスルーホール３５に半田付け接続される各接続部１６間を連結部１９で連結し、この連結部１９も配線基板３のメッキスルーホール３５に半田付け接続されるように形成することで、半田付け作業時において、リード端子１２は半田１７に接して熱を吸収する面積が増加し、より多くの熱量を半田１７から受けることができる。その結果、リード端子１２の形状を設計変更するだけで、接続部１６や連結部１９における半田１７がなじみやすく、また接続部１６や連結部１９からの半田上がりが良好になって、板金１のリード端子１２および連結部１９を配線基板３に対して、確実に半田付け接続を行なうことが可能になる。
【００２４】
なお、本発明は上記実施例に限定されるものではなく、本発明の要旨の範囲において種々の変形実施が可能である。実施例に示す板金１や配線基板３の形状はあくまでも一例に過ぎず、本発明の主旨を逸脱しない範囲で適宜変更が可能である。
【図面の簡単な説明】
【００２５】
【図１】本発明の一実施形態における端子付き板金の斜視図である。
【図２】同上、図１に示す端子付き板金と基板との接続構造を示す全体斜視図である。
【図３】同上、図２における要部の拡大斜視図である。
【図４】従来例における基板と端子付き板金との接続構造を示す全体斜視図である。
【図５】同上、図４における要部の拡大斜視図である。
【符号の説明】
【００２６】
１  端子付き板金
３  配線基板（基板）
１１  板金本体
１２  リード端子
１５  脚部
１９  連結部
２６  接続部
３５  スルーホール（端子受け部）
【図１】
0005019268.tif 000002
【図２】
0005019268.tif 000003
【図３】
0005019268.tif 000004
【図４】
0005019268.tif 000005
【図５】
0005019268.tif 000006